【手続補正書】
【提出日】平成16年8月16日(2004.8.16)
【手続補正１】
【補正対象書類名】特許請求の範囲
【補正対象項目名】全文
【補正方法】変更
【補正の内容】
【特許請求の範囲】
【請求項１】
アミノ酸配列Ｃｙｓ−Ｘ２−Ｘ３−Ｘ４−Ｘ５−Ｘ６−Ｘ７−Ｘ８−Ｃｙｓ（配列番号２）を含み、ここで、
Ｘ２は、Ｐｒｏ、Ａｒｇ、Ａｓｎ、Ａｓｐ、Ｇｌｎ、Ｇｌｙ、Ｐｈｅ、Ｓｅｒ、ＴｈｒまたはＴｙｒであり；
Ｘ３は、Ａｌａ、Ａｓｎ、Ａｓｐ、Ｇｌｎ、Ｇｌｕ、Ｇｌｙ、Ｉｌｅ、Ｌｅｕ、Ｍｅｔ、Ｐｈｅ、Ｐｒｏ、Ｓｅｒ、Ｔｈｒ、Ｔｒｐ、ＴｙｒまたはＶａｌであり；
Ｘ４は、Ｇｌｕ、Ｇｌｙ、Ｌｙｓ、ＳｅｒまたはＴｙｒであり；
Ｘ５は、Ｐｒｏ、Ａｓｐ、Ｇｌｕ、Ａｓｎ、Ｇｌｎ、Ｇｌｕ、Ｇｌｙ、Ｌｅｕ、Ｌｙｓ、Ｓｅｒ、ＴｈｒまたはＴｙｒであり；
Ｘ６は、Ａｒｇ、ＧｌｙまたはＴｒｐであり；
Ｘ７は、Ｌｅｕ、Ｉｌｅ、Ｌｙｓ、Ｍｅｔ、Ａｓｎ、Ｇｌｎ、Ｐｒｏ、Ｓｅｒ、ＴｈｒまたはＶａｌであり；
Ｘ８は、Ｉｌｅ、Ｌｅｕ、Ｐｈｅ、ＴｒｐまたはＴｙｒである、
フィブリンに結合する能力を有する単離されたポリペプチド。
【請求項２】
アミノ酸配列Ｃｙｓ−Ｘ２−Ｘ３−Ｘ４−Ｘ５−Ｔｒｐ−Ｘ７−Ｘ８−Ｃｙｓ（配列番号４２）を含み、ここで、
Ｘ２は、Ｐｒｏ、Ａｓｎ、Ｇｌｎ、ＳｅｒまたはＴｈｒ；
Ｘ３は、Ａｌａ、Ａｓｎ、Ａｓｐ、Ｇｌｎ、Ｇｌｕ、Ｇｌｙ、Ｉｌｅ、Ｌｅｕ、Ｍｅｔ、Ｐｈｅ、Ｐｒｏ、Ｓｅｒ、Ｔｈｒ、Ｔｒｐ、ＴｙｒまたはＶａｌであり；
Ｘ４は、ＧｌｕまたはＳｅｒであり；
Ｘ５は、Ｐｒｏ、Ａｓｐ、Ｇｌｕ、Ａｓｎ、Ｇｌｎ、Ｓｅｒ、ＴｈｒまたはＴｙｒであり；
Ｘ７は、Ｌｅｕ、Ｉｌｅ、Ｍｅｔ、Ａｓｎ、Ｇｌｎ、Ｓｅｒ、ＴｈｒまたはＶａｌであり；
Ｘ８は、Ｐｈｅ、ＴｒｐまたはＴｙｒである、
請求項１に記載のポリペプチド。
【請求項３】
以下のアミノ酸位置が、以下：アミノ酸残基Ｘ２はＰｒｏ、アミノ酸残基Ｘ３はＡｓｐ、Ｇｌｕ、Ｇｌｙ、ＭｅｔもしくはＴｒｐ、アミノ酸残基Ｘ４はＧｌｕ、アミノ酸残基Ｘ５はＡｓｎ、Ａｓｐ、Ｇｌｕ、ＰｒｏもしくはＳｅｒ、アミノ酸残基Ｘ６はＴｒｐ、アミノ酸残基Ｘ７はＬｅｕもしくはＴｈｒ、アミノ酸残基Ｘ８はＰｈｅ、のように独立的に選択されるか、またはこのような選択の組合せである、請求項１に記載のポリペプチド。
【請求項４】
以下のアミノ酸配列：
Ｃｙｓ−Ｓｅｒ−Ａｓｐ−Ｇｌｕ−Ａｓｎ−Ｔｒｐ−Ｌｅｕ−Ｔｒｐ−Ｃｙｓ（配列番号２１）、
Ｃｙｓ−Ｐｒｏ−Ｍｅｔ−Ｓｅｒ−Ｇｌｕ−Ｔｒｐ−Ｌｅｕ−Ｔｙｒ−Ｃｙｓ（配列番号２２）、
Ｃｙｓ−Ｐｒｏ−Ｔｒｐ−Ｇｌｕ−Ｓｅｒ−Ｔｒｐ−Ｔｈｒ−Ｐｈｅ−Ｃｙｓ（配列番号２３）、
Ｃｙｓ−Ｇｌｎ−Ｇｌｕ−Ｇｌｕ−Ｐｒｏ−Ｔｒｐ−Ｌｅｕ−Ｐｈｅ−Ｃｙｓ（配列番号２４）、
Ｃｙｓ−Ｐｒｏ−Ｇｌｙ−Ｇｌｕ−Ａｓｐ−Ｔｒｐ−Ｌｅｕ−Ｐｈｅ−Ｃｙｓ（配列番号２５）、
Ｃｙｓ−Ｔｙｒ−Ｇｌｙ−Ｇｌｕ−Ｓｅｒ−Ｇｌｙ−Ｉｌｅ−Ｐｈｅ−Ｃｙｓ（配列番号４３）；
Ｃｙｓ−Ｔｈｒ−Ｇｌｙ−Ｇｌｕ−Ｐｒｏ−Ｇｌｙ−Ｐｒｏ−Ｉｌｅ−Ｃｙｓ（配列番号４４）；
Ｃｙｓ−Ｇｌｎ−Ｌｅｕ−Ｇｌｙ−Ｔｙｒ−Ａｒｇ−Ｔｈｒ−Ｔｙｒ−Ｃｙｓ（配列番号４５）；
Ｃｙｓ−Ａｓｐ−Ｇｌｙ−Ｇｌｕ−Ｐｒｏ−Ｔｒｐ−Ｌｅｕ−Ｐｈｅ−Ｃｙｓ（配列番号４６）；
Ｃｙｓ−Ｇｌｙ−Ｔｒｐ−Ｇｌｙ−Ｓｅｒ−Ｔｒｐ−Ｌｙｓ−Ｐｈｅ−Ｃｙｓ（配列番号４７）；
Ｃｙｓ−Ｇｌｙ−Ｔｒｐ−Ｇｌｙ−Ｓｅｒ−Ｇｌｙ−Ｌｙｓ−Ｌｅｕ−Ｃｙｓ（配列番号４８）；
Ｃｙｓ−Ｐｒｏ−Ｇｌｙ−Ｇｌｕ−Ｐｒｏ−Ｔｒｐ−Ｔｈｒ−Ｐｈｅ−Ｃｙｓ（配列番号４９）；
Ｃｙｓ−Ｐｒｏ−Ｇｌｙ−Ｇｌｕ−Ｐｒｏ−Ｔｒｐ−Ｔｈｒ−Ｐｈｅ−Ｃｙｓ（配列番号５０）；
Ｃｙｓ−Ｐｒｏ−Ｇｌｙ−Ｔｙｒ−Ｌｅｕ−Ａｒｇ−Ｓｅｒ−Ｌｅｕ−Ｃｙｓ（配列番号５１）；
Ｃｙｓ−Ｐｒｏ−Ｇｌｙ−Ｇｌｕ−Ｐｒｏ−Ｔｒｐ−Ｓｅｒ−Ｐｈｅ−Ｃｙｓ（配列番号５２）；
Ｃｙｓ−Ａｒｇ−Ｇｌｙ−Ｇｌｕ−Ｓｅｒ−Ｔｒｐ−Ｐｒｏ−Ｔｙｒ−Ｃｙｓ（配列番号５３）；
Ｃｙｓ−Ｐｒｏ−Ｇｌｙ−Ｔｙｒ−Ｌｙｓ−Ａｒｇ−Ｇｌｎ−Ｐｈｅ−Ｃｙｓ（配列番号５４）；
Ｃｙｓ−Ｇｌｙ−Ｇｌｎ−Ｇｌｕ−Ｓｅｒ−Ａｒｇ−Ｔｈｒ−Ｐｈｅ−Ｃｙｓ（配列番号５５）；および
Ｃｙｓ−Ｐｈｅ−Ｇｌｎ−Ｌｙｓ−Ｇｌｙ−Ｇｌｙ−Ｔｈｒ−Ｌｅｕ−Ｃｙｓ（配列番号５６）
からなる群より選択されるアミノ酸配列を含む、請求項１のポリペプチド。
【請求項５】
アミノ酸配列Ｃｙｓ−Ａｓｐ−Ｔｙｒ−Ｔｙｒ−Ｇｌｙ−Ｔｈｒ−Ｃｙｓ（配列番号２６）を含む、フィブリン結合ポリペプチド。
【請求項６】
アミノ酸配列Ｘ１−Ｘ２−Ｘ３−Ｘ４−Ｘ５−Ｘ６−Ｘ７−Ｘ８−Ｘ９−Ｘ１０−Ｘ１１−Ｘ１２−Ｘ１３−Ｘ１４−Ｘ１５（配列番号１）を含み、ここで、
Ｘ１は、Ｃｙｓ、ＰｒｏまたはＴｒｐであり；
Ｘ２は、Ａｌａ、Ａｒｇ、Ａｓｎ、Ａｓｐ、Ｇｌｎ、Ｇｌｕ、Ｇｌｙ、Ｈｉｓ、Ｉｌｅ、Ｌｅｕ、Ｌｙｓ、Ｍｅｔ、Ｐｈｅ、Ｐｒｏ、Ｓｅｒ、Ｔｈｒ、Ｔｒｐ、ＴｙｒもしくはＶａｌであるか、またはＸ４およびＸ１２がＣｙｓでない場合には、Ｘ２はＣｙｓであり得る；
Ｘ３は、Ａｌａ、Ａｓｎ、Ｇｌｎ、Ｇｌｙ、Ｉｌｅ、Ｌｅｕ、Ｍｅｔ、Ｐｈｅ、ＰｒｏまたはＴｈｒであり；
Ｘ４は、Ｃｙｓ、またはＸ１２と共有結合により架橋を形成できる他のアミノ酸であり；
Ｘ５は、Ｐｒｏ、Ａｒｇ、Ａｓｎ、Ａｓｐ、Ｇｌｎ、Ｇｌｙ、Ｐｈｅ、Ｓｅｒ、ＴｈｒまたはＴｙｒであり；
Ｘ６は、Ａｌａ、Ａｓｎ、Ａｓｐ、Ｇｌｎ、Ｇｌｕ、Ｇｌｙ、Ｉｌｅ、Ｌｅｕ、Ｍｅｔ、Ｐｈｅ、Ｐｒｏ、Ｓｅｒ、Ｔｈｒ、Ｔｒｐ、ＴｙｒまたはＶａｌであり；
Ｘ７は、Ｇｌｕ、Ｇｌｙ、Ｌｙｓ、ＳｅｒまたはＴｙｒであり；
Ｘ８は、Ｐｒｏ、Ａｓｐ、Ｇｌｕ、Ａｓｎ、Ｇｌｎ、Ｇｌｕ、Ｇｌｙ、Ｌｅｕ、Ｌｙｓ、Ｓｅｒ、ＴｈｒまたはＴｙｒであり；
Ｘ９は、Ａｒｇ、ＧｌｙまたはＴｒｐであり；
Ｘ１０は、Ｌｅｕ、Ｉｌｅ、Ｌｙｓ、Ｍｅｔ、Ａｓｎ、Ｇｌｎ、Ｐｒｏ、Ｓｅｒ、ＴｈｒまたはＶａｌであり；
Ｘ１１は、Ｉｌｅ、Ｌｅｕ、Ｐｈｅ、ＴｒｐまたはＴｙｒであり；
Ｘ１２は、Ｃｙｓ、またはＸ４と共有結合により架橋を形成できる別のアミノ酸であり；
Ｘ１３は、Ｃｙｓ、Ｇｌｙ、Ｌｅｕ、Ｐｈｅ、Ｐｒｏ、ＴｒｐまたはＴｙｒであり；
Ｘ１４は、Ｐｒｏ、Ａｌａ、Ｇｌｙ、Ａｓｎ、Ｇｌｎ、Ｌｙｓ、Ｓｅｒ、Ｔｈｒ、Ｔｙｒ、Ａｓｐ、ＧｌｕまたはＨｉｓであり；
Ｘ１５は、Ａｌａ、Ａｒｇ、Ａｓｐ、Ｉｌｅ、Ｌｅｕ、Ｍｅｔ、Ｐｈｅ、Ｐｒｏ、Ｔｒｐ、Ｖａｌ、Ａｓｎ、Ｇｌｎ、Ｇｌｙ、Ｓｅｒ、Ｔｈｒ、ＴｙｒまたはＨｉｓである、
請求項１に記載のポリペプチド。
【請求項７】
アミノ酸配列Ｔｒｐ−Ｘ２−Ｘ３−Ｘ４−Ｘ５−Ｘ６−Ｘ７−Ｘ８−Ｔｒｐ−Ｘ１０−Ｘ１１−Ｘ１２−Ｘ１３−Ｘ１４−Ｘ１５（配列番号４１）を含み、ここで、
Ｘ２は、Ａｌａ、Ａｒｇ、Ａｓｎ、Ａｓｐ、Ｇｌｎ、Ｇｌｕ、Ｇｌｙ、Ｈｉｓ、Ｉｌｅ、Ｌｅｕ、Ｌｙｓ、Ｍｅｔ、Ｐｈｅ、Ｐｒｏ、Ｓｅｒ、Ｔｈｒ、Ｔｒｐ、ＴｙｒもしくはＶａｌであるか、またはＸ４およびＸ１２がＣｙｓでない場合には、Ｘ２はＣｙｓであり得る；
Ｘ３は、Ａｌａ、Ａｓｎ、Ｇｌｎ、Ｇｌｙ、Ｉｌｅ、Ｌｅｕ、Ｍｅｔ、Ｐｈｅ、またはＰｒｏであり；
Ｘ４は、Ｃｙｓ、またはＸ１２と共有結合により架橋を形成できる他のアミノ酸であり；
Ｘ５は、Ｐｒｏ、Ａｓｎ、Ｇｌｎ、ＳｅｒまたはＴｈｒであり；
Ｘ６は、Ａｌａ、Ａｓｎ、Ａｓｐ、Ｇｌｎ、Ｇｌｕ、Ｇｌｙ、Ｉｌｅ、Ｌｅｕ、Ｍｅｔ、Ｐｈｅ、Ｐｒｏ、Ｓｅｒ、Ｔｈｒ、Ｔｒｐ、ＴｙｒまたはＶａｌであり；
Ｘ７は、ＧｌｕまたはＳｅｒであり；
Ｘ８は、Ｐｒｏ、Ａｓｐ、Ｇｌｕ、Ａｓｎ、Ｇｌｎ、Ｓｅｒ、ＴｈｒまたはＴｙｒであり；
Ｘ１０は、Ｌｅｕ、Ｉｌｅ、Ｍｅｔ、Ａｓｎ、Ｇｌｎ、Ｓｅｒ、ＴｈｒまたはＶａｌであり；
Ｘ１１は、Ｐｈｅ、ＴｒｐまたはＴｙｒであり；
Ｘ１２は、Ｃｙｓ、またはＸ４と共有結合により架橋を形成できる別のアミノ酸であり；
Ｘ１３は、Ｐｈｅ、ＴｒｐまたはＴｙｒであり；
Ｘ１４は、Ｐｒｏ、Ａｌａ、Ｇｌｙ、Ａｓｎ、Ｇｌｎ、Ｓｅｒ、Ｔｈｒ、Ｔｙｒ、Ａｓｐ、Ｇｌｕ、またはＨｉｓであり；
Ｘ１５は、Ａｌａ、Ｉｌｅ、Ｌｅｕ、Ｍｅｔ、Ｐｈｅ、Ｐｒｏ、Ｔｒｐ、Ｖａｌ、Ａｓｎ、Ｇｌｎ、Ｇｌｙ、Ｓｅｒ、Ｔｈｒ、Ｔｙｒ、またはＨｉｓである、
請求項６に記載のポリペプチド。
【請求項８】
以下のアミノ酸位置が、以下：アミノ酸残基Ｘ２はＡｌａ、Ｇｌｎ、Ｇｌｕ、ＬｙｓもしくはＭｅｔ；アミノ酸残基Ｘ３はＡｌａ、Ｌｅｕ、ＭｅｔもしくはＰｒｏ；アミノ酸残基Ｘ４はＣｙｓ；アミノ酸残基Ｘ５はＰｒｏ；アミノ酸残基Ｘ６はＡｓｐ、Ｇｌｕ、Ｇｌｙ、ＭｅｔもしくはＴｒｐ；アミノ酸残基Ｘ７はＧｌｕ；アミノ酸残基Ｘ８はＡｓｎ、Ａｓｐ、Ｇｌｕ、ＰｒｏもしくはＳｅｒ；アミノ酸残基Ｘ１０はＬｅｕもしくはＴｈｒ；アミノ酸残基Ｘ１１はＰｈｅ；アミノ酸残基Ｘ１２はＣｙｓ；アミノ酸残基Ｘ１３はＴｒｐ；アミノ酸残基Ｘ１４はＡｓｐ、Ｇｌｙ、Ｈｉｓ、ＰｈｅもしくはＳｅｒ；アミノ酸残基Ｘ１５はＡｌａ、Ｇｌｙ、Ｈｉｓ、ＰｒｏもしくはＳｅｒ、のように独立的に選択されるか、またはこのような選択の組合せである、請求項７に記載のポリペプチド。
【請求項９】
以下のアミノ酸位置が、以下：アミノ酸残基Ｘ５はＰｒｏ、アミノ酸残基Ｘ７はＧｌｕ、アミノ酸残基Ｘ１０はＬｅｕ、アミノ酸残基Ｘ１１はＰｈｅ、アミノ酸残基Ｘ１３はＴｒｐ、のように独立的に選択されるか、またはこのような選択の組合せである、請求項８に記載のポリペプチド。
【請求項１０】
以下のアミノ酸配列：
Ｔｒｐ−Ｇｌｕ−Ｌｅｕ−Ｃｙｓ−Ｓｅｒ−Ａｓｐ−Ｇｌｕ−Ａｓｎ−Ｔｒｐ−Ｌｅｕ−Ｔｒｐ−Ｃｙｓ−Ｔｒｐ−Ｐｒｏ−Ｈｉｓ（配列番号３）、
Ｔｒｐ−Ｍｅｔ−Ｍｅｔ−Ｃｙｓ−Ｐｒｏ−Ｍｅｔ−Ｓｅｒ−Ｇｌｕ−Ｔｒｐ−Ｌｅｕ−Ｔｙｒ−Ｃｙｓ−Ｔｒｐ−Ｓｅｒ−Ａｌａ（配列番号４）、
Ｔｒｐ−Ｇｌｎ−Ｐｒｏ−Ｃｙｓ−Ｐｒｏ−Ｔｒｐ−Ｇｌｕ−Ｓｅｒ−Ｔｒｐ−Ｔｈｒ−Ｐｈｅ−Ｃｙｓ−Ｔｒｐ−Ａｓｐ−Ｐｒｏ（配列番号５）、
Ｔｒｐ−Ａｌａ−Ｐｒｏ−Ｃｙｓ−Ｇｌｎ−Ｇｌｕ−Ｇｌｕ−Ｐｒｏ−Ｔｒｐ−Ｌｅｕ−Ｐｈｅ−Ｃｙｓ−Ｐｈｅ−Ｈｉｓ−Ｇｌｙ（配列番号６）、
Ｔｒｐ−Ｌｙｓ−Ａｌａ−Ｃｙｓ−Ｐｒｏ−Ｇｌｙ−Ｇｌｕ−Ａｓｐ−Ｔｒｐ−Ｌｅｕ−Ｐｈｅ−Ｃｙｓ−Ｔｒｐ−Ｇｌｙ−Ｓｅｒ（配列番号７）、
Ｐｒｏ−Ａｒｇ−Ｐｒｏ−Ｃｙｓ−Ｔｙｒ−Ｇｌｙ−Ｇｌｕ−Ｓｅｒ−Ｇｌｙ−Ｉｌｅ−Ｐｈｅ−Ｃｙｓ−Ｔｒｐ−Ｌｙｓ−Ｖａｌ（配列番号２７）；
Ｐｒｏ−Ａｒｇ−Ｐｒｏ−Ｃｙｓ−Ｔｈｒ−Ｇｌｙ−Ｇｌｕ−Ｐｒｏ−Ｇｌｙ−Ｐｒｏ−Ｉｌｅ−Ｃｙｓ−Ｇｌｙ−Ｐｒｏ−Ａｒｇ（配列番号２８）；
Ｔｒｐ−Ｇｌｎ−Ａｌａ−Ｃｙｓ−Ｇｌｎ−Ｌｅｕ−Ｇｌｙ−Ｔｙｒ−Ａｒｇ−Ｔｈｒ−Ｔｙｒ−Ｃｙｓ−Ｔｒｐ−Ａｓｐ−Ｇｌｙ（配列番号２９）；
Ｔｒｐ−Ｌｙｓ−Ｐｈｅ−Ｃｙｓ−Ａｓｐ−Ｇｌｙ−Ｇｌｕ−Ｐｒｏ−Ｔｒｐ−Ｌｅｕ−Ｐｈｅ−Ｃｙｓ−Ｔｒｐ−Ａｓｐ−Ｇｌｙ（配列番号３０）；
Ｔｒｐ−Ａｓｎ−Ｇｌｙ−Ｃｙｓ−Ｇｌｙ−Ｔｒｐ−Ｇｌｙ−Ｓｅｒ−Ｔｒｐ−Ｌｙｓ−Ｐｈｅ−Ｃｙｓ−Ｇｌｙ−Ｇｌｕ−Ｇｌｙ（配列番号３１）；
Ｔｒｐ−Ｌｅｕ−Ａｓｎ−Ｃｙｓ−Ｇｌｙ−Ｔｒｐ−Ｇｌｙ−Ｓｅｒ−Ｇｌｙ−Ｌｙｓ−Ｌｅｕ−Ｃｙｓ−Ｌｅｕ−Ｇｌｙ−Ｖａｌ（配列番号３２）；
Ｃｙｓ−Ｔｙｒ−Ｐｈｅ−Ｃｙｓ−Ｐｒｏ−Ｇｌｙ−Ｇｌｕ−Ｐｒｏ−Ｔｒｐ−Ｔｈｒ−Ｐｈｅ−Ｃｙｓ−Ｃｙｓ−Ａｓｐ−Ａｓｐ（配列番号３３）；
Ｔｒｐ−Ｈｉｓ−Ｐｈｅ−Ｃｙｓ−Ｐｒｏ−Ｇｌｙ−Ｇｌｕ−Ｐｒｏ−Ｔｒｐ−Ｔｈｒ−Ｐｈｅ−Ｃｙｓ−Ｔｒｐ−Ａｌａ−Ｇｌｙ（配列番号３４）；
Ｔｒｐ−Ｇｌｎ−Ｔｈｒ−Ｃｙｓ−Ｐｒｏ−Ｇｌｙ−Ｔｙｒ−Ｌｅｕ−Ａｒｇ−Ｓｅｒ−Ｌｅｕ−Ｃｙｓ−Ｔｒｐ−Ａｓｐ−Ｇｌｙ（配列番号３５）；
Ｔｒｐ−Ｔｙｒ−Ｐｈｅ−Ｃｙｓ−Ｐｒｏ−Ｇｌｙ−Ｇｌｕ−Ｐｒｏ−Ｔｒｐ−Ｓｅｒ−Ｐｈｅ−Ｃｙｓ−Ｐｒｏ−Ａｓｐ−Ｇｌｙ（配列番号３６）；
Ｐｒｏ−Ａｒｇ−Ｐｒｏ−Ｃｙｓ−Ａｒｇ−Ｇｌｙ−Ｇｌｕ−Ｓｅｒ−Ｔｒｐ−Ｐｒｏ−Ｔｙｒ−Ｃｙｓ−Ｔｒｐ−Ｇｌｙ−Ｇｌｙ（配列番号３７）；
Ｔｒｐ−Ｇｌｎ−Ａｌａ−Ｃｙｓ−Ｐｒｏ−Ｇｌｙ−Ｔｙｒ−Ｌｙｓ−Ａｒｇ−Ｇｌｎ−Ｐｈｅ−Ｃｙｓ−Ｔｒｐ−Ａｓｐ−Ａｒｇ（配列番号３８）；
Ｐｒｏ−Ａｒｇ−Ｐｒｏ−Ｃｙｓ−Ｇｌｙ−Ｇｌｎ−Ｇｌｕ−Ｓｅｒ−Ａｒｇ−Ｔｈｒ−Ｐｈｅ−Ｃｙｓ−Ｌｅｕ−Ｇｌｕ−Ｇｌｙ（配列番号３９）；および
Ｐｒｏ−Ａｒｇ−Ｐｒｏ−Ｃｙｓ−Ｐｈｅ−Ｇｌｎ−Ｌｙｓ−Ｇｌｙ−Ｇｌｙ−Ｔｈｒ−Ｌｅｕ−Ｃｙｓ−Ｔｒｐ−Ｐｒｏ−Ｇｌｙ（配列番号４０）、
からなる群より選択されるアミノ酸配列を含む、請求項６に記載のポリペプチド
【請求項１１】
アミノ酸配列Ａｒｇ−Ａｌａ−Ｐｒｏ−Ｃｙｓ−Ａｓｐ−Ｔｙｒ−Ｔｙｒ−Ｇｌｙ−Ｔｈｒ−Ｃｙｓ−Ｖａｌ−Ｇｌｕ−Ｌｅｕ（配列番号８）を有する、請求項５に記載のポリペプチド。
【請求項１２】
哺乳動物被検体におけるフィブリン検出用薬剤を製造するための、検出可能な標識に連結された請求項１〜１１のいずれか１項に記載のポリペプチドの使用。
【請求項１３】
検出可能な標識が、蛍光性、音響発生性、放射性または常磁性である、請求項１２に記載の使用。
【請求項１４】
検出可能な標識が、１１１Ｉｎまたは９９ｍＴｃである、請求項１２に記載の使用。
【請求項１５】
薬剤が、深静脈血栓症、肺塞栓症、心臓性血栓症、アテローム硬化症または発作のリスクを判定するための薬剤である、請求項１２に記載の使用。
【請求項１６】
血栓形成が関与する疾患の治療用薬剤の製造における、該血栓形成が関与する疾患を治療するのに有効な医薬とコンジュゲートされた請求項１〜１１のいずれか１項に記載のポリペプチドの使用。
【請求項１７】
疾患が、深静脈血栓症、肺塞栓症、心臓性血栓症、アテローム硬化症、心筋梗塞、再灌流虚血、または発作である、請求項１６に記載の使用。
【請求項１８】
医薬が、ｔＰＡ、ストレプトキナーゼ、およびウロキナーゼから選択される血栓溶解剤である、請求項１６に記載の使用。
【請求項１９】
請求項１〜１１のいずれか１項に記載の外因性フィブリン結合ポリペプチドを表面上で発現する組換え宿主細胞またはバクテリオファージ。
【請求項２０】
請求項１〜１１のいずれか１項に記載の少なくとも１つのポリペプチドに連結した少なくとも１つの常磁性金属原子を含む、磁気共鳴造影造影剤。
【請求項２１】
ＤＴＰＡ、ＤＯＴＡ、ＥＤＴＡ、ＴＥＴＡ、ＥＨＰＧ、ＨＢＥＤ、ＮＯＴＡ、ＤＯＴＭＡ、ＴＥＴＭＡ、ＰＤＴＡ、ＴＴＨＡ、ＬＩＣＡＭおよびＭＥＣＡＭからなる群より選択される少なくとも１つのキレート化剤をさらに含む、請求項２０に記載の磁気共鳴造影造影剤。
【請求項２２】
キレート化剤が、ジエチレントリアミンもしくはテトラアザシクロドデカン、またはそれらのカルボキシメチル置換型誘導体を含む、請求項２１に記載の磁気共鳴造影造影剤。
【請求項２３】
常磁性金属元素が、Ｍｎ２＋、Ｃｕ２＋、Ｆｅ２＋、Ｃｏ２＋、Ｎｉ２＋、Ｇｄ３＋、Ｅｕ３＋、Ｄｙ３＋、Ｐｒ３＋、Ｃｒ３＋、Ｃｏ３＋、Ｆｅ３＋、Ｔｉ３＋、Ｔｂ３＋、Ｎｄ３＋、Ｓｍ３＋、Ｈｏ３＋、Ｅｒ３＋、Ｐａ４＋およびＥｕ２＋からなる群より選択される、請求項２１に記載の磁気共鳴造影造影剤。
【請求項２４】
常磁性金属元素が、Ｇｄ３＋である、請求項２３に記載の磁気共鳴造影造影剤。
【請求項２５】
請求項１〜１１のいずれか１項に記載のフィブリン結合ポリペプチドを利用して、フィブリン標的と複合体を形成するステップ；該複合体を１つ以上の潜在的フィブリン結合化合物と接触させるステップ；および該１つ以上の潜在的フィブリン結合化合物が、該フィブリン標的と複合体を形成するのに、該フィブリン結合ポリペプチドと競合するか否かを決定するステップを含む、フィブリン結合化合物の同定方法。
【請求項２６】
潜在的フィブリン結合化合物を含有する溶液をフィブリン標的と接触させて該化合物と該フィブリン標的との複合体を形成するステップ；該複合体を請求項１〜１１のいずれか１項に記載のフィブリン結合ポリペプチドと接触させるステップ；および該フィブリン結合ポリペプチドが、該フィブリン標的と複合体を形成するのに、該潜在的フィブリン結合化合物と競合するか否かを決定するステップを含む、フィブリン結合化合物の同定方法。
【請求項２７】
検出可能な標識に連結されている、請求項１〜１１のいずれか１項に記載のポリペプチドを含む、診断用造影剤。
【請求項２８】
ポリペプチドが放射性標識されている、請求項２７に記載の造影剤。
【請求項２９】
ポリペプチドが９９ｍＴｃで標識されている、請求項２７に記載の造影剤。
【請求項３０】
ポリペプチドがフルオレセイン標識されている、請求項２７に記載の造影剤。
【請求項３１】
ポリペプチドが、超音波画像法に適した音響発生標識に連結されている、請求項２７に記載の造影剤。
【請求項３２】
哺乳動物被検体におけるフィブリン画像化用薬剤を製造するための、請求項１〜１１のいずれか１項に記載の少なくとも１つのポリペプチドを含む造影剤の医薬製剤の使用であって、該造影剤が、磁気共鳴画像法、超音波画像法、光学画像法、音ルミネセンス画像法、光音響画像法または核画像法により検出可能なものである、上記使用。
【請求項３３】
医薬製剤が、吸入、経皮吸収、筋内注射、皮下注射、静脈内注射および動脈内注射の１以上で投与するために製剤化されている、請求項３２に記載の使用。
【請求項３４】
医薬製剤が、キット、シリンジ、バイアル、瓶、可塑性容器、パケットまたは吸入器からなる群より選択される容器にパッケージングされている、請求項３２に記載の使用。
【請求項３５】
フィブリンまたはフィブリン様ポリペプチドを含有する溶液からフィブリンまたはフィブリン様ポリペプチドを精製する方法であって、該溶液を、請求項１〜１１のいずれか１項に記載の少なくとも１つのポリペプチドと接触させ、次いで該ポリペプチドを該溶液から分離させることを含む、上記方法。